(57)【要約】【課題】撮影画像と断層像との位置関係を高確度で把握できる眼科観察装置を提供する。【解決手段】撮影マスク１２７は、撮像装置１２に対して略共役な位置に設けられ撮像装置１２の位置を表すマークを撮影画像中に写り込ませる透光部１２７ｃ、１２７ｄを備える。記憶部２１２は、基準撮影画像Ｔ中のマークＦ１、Ｆ２の位置に基づく基準位置情報２１３を記憶する。基準位置情報２１３には、基準中心Ｋ０及び基準線Ｈ０の位置情報が含まれる。眼底像Ｅｆ´と断層像が形成されると、画像処理部２３０は、眼底像Ｅｆ´中のマークＭ１、Ｍ２に基づく画像中心Ｋと基準中心Ｋ０に基づいて眼底像Ｅｆ´や断層像を平行移動させるとともに、マークＭ１、Ｍ２に基づく中心線Ｈと基準線Ｈ０に基づいて眼底像Ｅｆ´や断層像を回転移動させる。【選択図】図７
2010240068.tif 000002
【特許請求の範囲】
【請求項１】
被検眼に照明光を照射する照射手段と、前記被検眼からの前記照明光の反射光を受光する受光手段とを含み、前記反射光の受光結果に基づいて前記被検眼の撮影画像を形成する撮影画像形成部と、
低コヒーレンス光を信号光と参照光とに分割し、前記被検眼を経由した前記信号光と参照光路を経由した参照光との干渉光を生成して検出する光学系を含み、前記干渉光の検出結果に基づいて前記被検眼の断層像を形成する断層像形成部と、
を有する眼科観察装置であって、
前記撮影画像形成部は、前記受光手段に対して略共役な位置に設けられ、前記受光手段の位置を表すマークとして前記撮影画像中に写し込まれるマーキング手段を備え、
基準位置に配置された前記受光手段を用いて形成された基準撮影画像中に写し込まれた前記マークの位置に基づく基準位置情報をあらかじめ記憶する記憶手段と、
前記撮影画像形成部により新たな撮影画像が形成され、前記断層像形成部により断層像が形成されたときに、該撮影画像中に写し込まれた前記マークの位置と前記記憶された基準位置情報とに基づいて、該撮影画像と該断層像との相対位置を補正する補正手段と、
を備える、
ことを特徴とする眼科観察装置。
【請求項２】
前記撮影画像形成部は、前記受光手段に対して略共役な位置に設けられ、前記反射光の中央部分を透過させる透過領域と周辺部分を遮蔽する遮蔽領域とを有する撮影マスクを含み、
前記マーキング手段は、前記撮影マスクの前記遮蔽領域に形成された透光部を含み、
前記補正手段は、前記透光部を透過した前記反射光の像として前記基準撮影画像中に写し込まれたマークの位置に基づいて前記基準位置情報をあらかじめ生成し、更に、前記新たな撮影画像及び前記断層像が形成されたときに、該撮影画像中に写し込まれた前記透光部のマークの位置に基づいて前記受光手段の現在位置を表す現在位置情報を生成し、前記現在位置情報と前記基準位置情報とを比較して前記相対位置を補正する、
ことを特徴とする請求項１に記載の眼科観察装置。
【請求項３】
前記マーキング手段は、前記撮影マスクの前記透過領域を挟んだ対向位置に設けられた一対の前記透光部を含み、
前記補正手段は、前記撮影画像形成部による撮影画像に基づいて前記一対の透光部に対応する一対の前記マークの中間位置を求め、前記基準撮影画像に基づく前記中間位置と前記新たな撮影画像に基づく前記中間位置との変位に基づいて該撮影画像及び／又は該断層像を平行移動させて前記相対位置を補正する、
ことを特徴とする請求項２に記載の眼科観察装置。
【請求項４】
前記マーキング手段は、前記撮影マスクの前記透過領域を挟んだ対向位置に設けられた一対の前記透光部を含み、
前記補正手段は、前記撮影画像形成部による撮影画像に基づいて前記一対の透光部に対応する一対の前記マークを結んだ直線を求め、前記基準撮影画像に基づく前記直線と前記新たな撮影画像に基づく前記直線とが成す角度に基づいて該撮影画像及び／又は該断層像を回転移動させて前記相対位置を補正する、
ことを特徴とする請求項２に記載の眼科観察装置。
【請求項５】
前記マーキング手段は、前記反射光の周辺部分又は前記反射光の外部位置に設けられた発光部材を含み、
前記補正手段は、前記発光部材から出力された光の像として前記基準撮影画像中に写し込まれたマークの位置に基づいて前記基準位置情報をあらかじめ生成し、更に、前記新たな撮影画像及び前記断層像が形成されたときに、前記発光部材からの光の像として該撮影画像中に写し込まれたマークの位置に基づいて前記受光手段の現在位置を表す現在位置情報を生成し、前記現在位置情報と前記基準位置情報とを比較して前記相対位置を補正する、
ことを特徴とする請求項１に記載の眼科観察装置。
【請求項６】
前記マーキング手段は、前記反射光を導光する光学系の光軸を挟んだ対向位置に設けられた一対の前記発光部材を含み、
前記補正手段は、前記撮影画像形成部による撮影画像に基づいて前記一対の発光部材に対応する一対の前記マークの中間位置を求め、前記基準撮影画像に基づく前記中間位置と前記新たな撮影画像に基づく前記中間位置との変位に基づいて該撮影画像及び／又は該断層像を平行移動させて前記相対位置を補正する、
ことを特徴とする請求項５に記載の眼科観察装置。
【請求項７】
前記マーキング手段は、前記反射光を導光する光学系の光軸を挟んだ対向位置に設けられた一対の前記発光部材を含み、
前記補正手段は、前記撮影画像形成部による撮影画像に基づいて前記一対の発光部材に対応する一対の前記マークを結んだ直線を求め、前記基準撮影画像に基づく前記直線と前記新たな撮影画像に基づく前記直線とが成す角度に基づいて該撮影画像及び／又は該断層像を回転移動させて前記相対位置を補正する、
ことを特徴とする請求項５に記載の眼科観察装置。
【請求項８】
前記マーキング手段は、撮影画像中の異なる位置に複数組の前記マークを写し込むことが可能であり、
前記記憶手段は、基準撮影画像中に写し込まれた前記複数組のそれぞれのマークの位置に基づく前記基準位置情報をあらかじめ記憶し、
前記補正手段は、前記新たな撮影画像に写し込まれた一組のマークの位置と前記基準位置情報とに基づいて前記相対位置を補正する、
ことを特徴とする請求項１〜請求項７のいずれか一項に記載の眼科観察装置。
【請求項９】
前記撮影画像形成部は、前記反射光を導光する光学系の光軸に沿って移動して撮影倍率を変更する変倍レンズを更に含み、
前記補正手段は、前記基準撮影画像が形成されたときの前記変倍レンズの位置と、前記新たな撮影画像が形成されたときの前記変倍レンズの位置とに基づいて、前記基準撮影画像の倍率と前記新たな撮影画像の倍率とを合わせる、
ことを特徴とする請求項１〜請求項８のいずれか一項に記載の眼科観察装置。
【請求項１０】
前記撮影画像形成部は、前記反射光を導光する光学系の光軸に沿って移動して撮影倍率を変更する変倍レンズを更に含み、
前記補正手段は、前記基準撮影画像に写し込まれたマークのサイズと、前記新たな撮影画像に写し込まれたマークのサイズとに基づいて、前記基準撮影画像の倍率と前記新たな撮影画像の倍率とを合わせる、
ことを特徴とする請求項１〜請求項８のいずれか一項に記載の眼科観察装置。
【請求項１１】
被検眼に照明光を照射する照射手段と、前記被検眼からの前記照明光の反射光を受光する受光手段とを含み、前記反射光の受光結果に基づいて前記被検眼の撮影画像を形成する撮影画像形成部と、
低コヒーレンス光を信号光と参照光とに分割し、前記被検眼を経由した前記信号光と参照光路を経由した参照光との干渉光を生成して検出する光学系と、前記被検眼に対して前記信号光を走査する走査手段とを含み、前記干渉光の検出結果に基づいて前記被検眼の断層像を形成する断層像形成部と、
を有する眼科観察装置であって、
前記撮影画像形成部は、前記受光手段に対して略共役な位置に設けられ、前記受光手段の位置を表すマークとして前記撮影画像中に写し込まれるマーキング手段を備え、
基準位置に配置された前記受光手段を用いて形成された基準撮影画像中に写し込まれた前記マークの位置に基づく基準位置情報をあらかじめ記憶する記憶手段と、
前記断層像形成部により断層像が形成されたときに、前記走査手段による前記信号光の走査態様と前記記憶された基準位置情報とに基づいて該断層像の位置を補正する補正手段と、
を備える、
ことを特徴とする眼科観察装置。
【請求項１２】
前記撮影画像形成部は、前記受光手段に対して略共役な位置に設けられ、前記反射光の中央部分を透過させる透過領域と周辺部分を遮蔽する遮蔽領域とを有する撮影マスクを含み、
前記マーキング手段は、前記撮影マスクの前記遮蔽領域に形成された透光部を含み、
前記補正手段は、前記透光部を透過した前記反射光の像として前記基準撮影画像中に写し込まれたマークの位置に基づいて前記基準位置情報をあらかじめ生成し、更に、前記断層像が形成されたときに、前記信号光の走査態様と前記基準位置情報とに基づいて前記位置の補正を行う、
ことを特徴とする請求項１１に記載の眼科観察装置。
【請求項１３】
前記走査手段は、前記被検眼の所定の走査領域内において前記信号光を走査し、
前記マーキング手段は、前記撮影マスクの前記遮蔽領域に形成された一対の前記透光部を含み、
前記補正手段は、前記基準撮影画像中に写し込まれた前記一対の透光部に対応する一対の前記マークの中間位置を求めて前記基準位置情報を生成し、更に、前記断層像が形成されたときの前記所定の走査領域の中心位置を求め、該求められた前記中心位置と前記一対のマークの中間位置との変位に基づいて該断層像を平行移動させて前記位置の補正を行う、
ことを特徴とする請求項１２に記載の眼科観察装置。
【請求項１４】
前記走査手段は、前記被検眼の所定の走査線に沿って前記信号光を走査し、
前記マーキング手段は、前記撮影マスクの前記遮蔽領域に形成された一対の前記透光部を含み、
前記補正手段は、前記基準撮影画像中に写し込まれた前記一対の透光部に対応する一対の前記マークを結んだ直線を求めて前記基準位置情報を生成し、更に、前記断層像が形成されたときの前記所定の走査線の方向と前記直線とが成す角度に基づいて該断層像を回転移動させて前記位置の補正を行う、
ことを特徴とする請求項１２に記載の眼科観察装置。
【請求項１５】
前記マーキング手段は、前記反射光の周辺部分又は前記反射光の外部位置に設けられた発光部材を含み、
前記補正手段は、前記発光部材から出力された光の像として前記基準撮影画像中に写し込まれたマークの位置に基づいて前記基準位置情報をあらかじめ生成し、更に、前記断層像が形成されたときに、前記信号光の走査態様と前記基準位置情報とに基づいて前記位置の補正を行う、
ことを特徴とする請求項１１に記載の眼科観察装置。
【請求項１６】
前記走査手段は、前記被検眼の所定の走査領域内において前記信号光を走査し、
前記マーキング手段は、前記反射光を導光する光学系の光軸を挟んだ対向位置に設けられた一対の前記発光部材を含み、
前記補正手段は、前記基準撮影画像中に写し込まれた前記一対の発光部材に対応する一対の前記マークの中間位置を求めて前記基準位置情報を生成し、更に、前記断層像が形成されたときの前記所定の走査領域の中心位置を求め、該求められた前記中心位置と前記一対のマークの中間位置との変位に基づいて該断層像を平行移動させて前記位置の補正を行う、
ことを特徴とする請求項１５に記載の眼科観察装置。
【請求項１７】
前記走査手段は、前記被検眼の所定の走査線に沿って前記信号光を走査し、
前記マーキング手段は、前記反射光を導光する光学系の光軸を挟んだ対向位置に設けられた一対の前記発光部材を含み、
前記補正手段は、前記基準撮影画像中に写し込まれた前記一対の発光部材に対応する一対の前記マークを結んだ直線を求めて前記基準位置情報を生成し、更に、前記断層像が形成されたときの前記所定の走査線の方向と前記直線とが成す角度に基づいて該断層像を回転移動させて前記位置の補正を行う、
ことを特徴とする請求項１５に記載の眼科観察装置。
【請求項１８】
前記撮影画像形成部は、前記反射光及び前記信号光を導光する光学系の光軸に沿って移動して撮影倍率を変更する変倍レンズを更に含み、
前記補正手段は、前記基準撮影画像が形成されたときの前記変倍レンズの位置と、前記断層像が形成されたときの前記変倍レンズの位置とに基づいて、前記基準撮影画像の倍率と前記断層像の倍率とを合わせる、
ことを特徴とする請求項１１〜請求項１７のいずれか一項に記載の眼科観察装置。
【請求項１９】
前記撮影画像形成部により形成された撮影画像に写し込まれた前記マークを消去する画像処理を施す画像処理手段と、
前記マークが消去された前記撮影画像を表示する表示手段と、
を更に備える、
ことを特徴とする請求項１〜請求項１８のいずれか一項に記載の眼科観察装置。
【発明の詳細な説明】
【技術分野】
【０００１】
この発明は、光コヒーレンストモグラフィ（Ｏｐｔｉｃａｌ  Ｃｏｈｅｒｅｎｃｅ  Ｔｏｍｏｇｒａｐｈｙ）を用いて被検眼の断層像を形成するとともに、被検眼に照明光を照射して被検眼を撮影する眼科観察装置に関する。
【背景技術】
【０００２】
近年、レーザ光源等からの光ビームを用いて被測定物体の表面形態や内部形態を表す画像を形成する光コヒーレンストモグラフィが注目を集めている。光コヒーレンストモグラフィは、Ｘ線ＣＴ装置のような人体に対する侵襲性を持たないことから、特に医療分野や生物学分野における応用の展開が期待されている。
【０００３】
特許文献１には、光コヒーレンストモグラフィを適用した装置が開示されている。この装置は、測定腕が回転式転向鏡（ガルバノミラー）により物体を走査し、参照腕に参照ミラーが設置されており、その出口に計測腕及び参照腕からの光束の干渉光の強度を分光器で分析する干渉器が設けられている。更に、参照腕は、参照光光束位相を不連続な値で段階的に変えるように構成されている。
【０００４】
特許文献１の装置は、いわゆる「フーリエドメインＯＣＴ（Ｆｏｕｒｉｅｒ  Ｄｏｍａｉｎ  Ｏｐｔｉｃａｌ  Ｃｏｈｅｒｅｎｃｅ  Ｔｏｍｏｇｒａｐｈｙ）」の手法を用いるものである。すなわち、被測定物体に対して低コヒーレンス光のビームを照射し、その反射光と参照光とを重ね合わせて干渉光を生成し、この干渉光のスペクトル強度分布を取得してフーリエ変換を施すことにより被測定物体の深度方向（ｚ方向）の形態を画像化するものである。なお、このタイプの手法は、スペクトラルドメイン（Ｓｐｅｃｔｒａｌ  Ｄｏｍａｉｎ）とも呼ばれる。
【０００５】
更に、特許文献１に記載の装置は、光ビーム（信号光）を走査するガルバノミラーを備え、それにより被測定物体の所望の測定対象領域の画像を形成するようになっている。この装置においては、ｚ方向に直交する１方向（ｘ方向）にのみ光ビームを走査するように構成されているので、この装置により形成される画像は、光ビームの走査方向（ｘ方向）に沿った深度方向（ｚ方向）の２次元断層像となる。
【０００６】
特許文献２には、信号光を水平方向（ｘ方向）及び垂直方向（ｙ方向）に走査することにより水平方向の２次元断層像を複数形成し、これら複数の断層像に基づいて測定範囲の３次元の断層情報を取得して画像化する技術が開示されている。この３次元画像化としては、たとえば、複数の断層像を垂直方向に並べて表示させる方法や（スタックデータなどと呼ばれる）、複数の断層像にレンダリング処理を施して３次元画像を形成する方法などが考えられる。
【０００７】
特許文献３、４には、他のタイプのＯＣＴ装置が開示されている。特許文献３には、被測定物体に照射される光の波長を走査し、各波長の光の反射光と参照光とを重ね合わせて得られる干渉光に基づいてスペクトル強度分布を取得し、それに対してフーリエ変換を施すことにより被測定物体の形態を画像化するＯＣＴ装置が記載されている。このようなＯＣＴ装置は、スウェプトソース（Ｓｗｅｐｔ  Ｓｏｕｒｃｅ）タイプなどと呼ばれる。なお、スウェプトソースタイプはフーリエドメインタイプの一例である。
【０００８】
また、特許文献４には、所定のビーム径を有する光を被測定物体に照射し、その反射光と参照光とを重ね合わせて得られる干渉光の成分を解析することにより、光の進行方向に直交する断面における被測定物体の画像を形成するＯＣＴ装置が記載されている。このようなＯＣＴ装置は、フルフィールド（ｆｕｌｌ−ｆｉｅｌｄ）タイプ、或いはエンフェイス（ｅｎ−ｆａｃｅ）タイプなどと呼ばれる。
【０００９】
特許文献５には、光コヒーレンストモグラフィを眼科分野に適用した装置が開示されている。なお、光コヒーレンストモグラフィが適用される以前の眼底観察用の装置としては、被検眼に照明光を照射して眼底を撮影する眼底カメラが知られている（たとえば特許文献６を参照）。また、光コヒーレンストモグラフィを利用して角膜の断層像を取得する装置も知られている（たとえば特許文献７を参照）。また、角膜の撮影は、眼底カメラやスリットランプ等により行うことができる（たとえば特許文献８を参照）。
【００１０】
特許文献５に記載の装置は、眼底カメラ及びＯＣＴ装置の双方の機能を備えている。眼底の撮影画像（眼底像）は、眼底表面の状態を広範囲に亘って把握するのに適している。一方、断層像は、眼底の層構造を詳細に把握するのに適している。
【００１１】
【特許文献１】特開平１１−３２５８４９号公報
【特許文献２】特開２００２−１３９４２１号公報
【特許文献３】特開２００７−２４６７７号公報
【特許文献４】特開２００６−１５３８３８号公報
【特許文献５】特開２００８−７３０９９号公報
【特許文献６】特開平９−２７６２３２号公報
【特許文献７】特開平８−２０６０７５号公報
【特許文献８】特開２００８−２５９５４４号公報
【発明の概要】
【発明が解決しようとする課題】
【００１２】
撮影画像と断層像の双方を参照する場合、断層像が撮影画像中のどの部位に相当しているかを高い確度で把握できなければ、信頼性の高い診断を行うことはできない。
【００１３】
たとえば、眼底の断層像が眼底像中のどこに位置しているか把握できない場合、眼底像を観察しながら治療を行うのが一般的であることを考慮すると、眼底深部に在る疾患部位を治療するための位置決めが困難となる。
【００１４】
また、たとえば経過観察のように被検眼の所定部位を反復して検査する場合、同じ部位を正確に検査することが困難となる。
【００１５】
このように、断層像と撮影画像との位置関係の把握は非常に重要であるにも拘わらず、従来の技術では撮影画像中における断層像の位置を正確に把握することは困難であった。
【００１６】
なお、従来においても、多数の断層像を取得して３次元画像を形成し、その画素値を深度方向に積算して２次元画像（積算画像）を形成し、この積算画像と撮影画像とを比較することによって撮影画像中における断層像の位置を求める手法はあった。
【００１７】
しかし、この手法には、撮影画像と断層像との位置関係を画像処理のみによって求められるというメリットがある一方で、データ処理に長い時間が必要であったり、３次元画像を形成するのに十分な枚数の断層像を取得しなければならなかったりといったデメリットもある。
【００１８】
また、近年では、高性能のデジタルカメラを装置に装着して撮影を行うこともある。この場合、デジタルカメラ側の装着部の形態（サイズや形状）と眼科観察装置側の装着部の形態との微小差や経時変化（ガタ）によって、デジタルカメラの装着位置や装着姿勢が変化することがある。それにより、撮影画像に位置ズレが生じ、撮影画像と断層像との位置関係が変化してしまう。そうすると、過去に取得された画像間の位置関係と、新たに取得された画像間の位置関係とにズレが生じ、経過観察や治療を効果的に行えない可能性がある。
【００１９】
この発明は、以上のような問題を解決するためになされたもので、その目的は、撮影画像と断層像との位置関係を高い確度で把握することが可能な眼科観察装置を提供することにある。
【００２０】
また、この発明は、比較的少数の断層像を取得した場合であっても眼底像と断層像との位置関係を補正することが可能な眼科観察装置を提供することを他の目的とする。
【００２１】
また、この発明は、簡便な処理によって眼底像と断層像との位置関係を補正することが可能な眼科観察装置を提供することを他の目的とする。
【課題を解決するための手段】
【００２２】
上記目的を達成するために、請求項１に記載の発明は、被検眼に照明光を照射する照射手段と、前記被検眼からの前記照明光の反射光を受光する受光手段とを含み、前記反射光の受光結果に基づいて前記被検眼の撮影画像を形成する撮影画像形成部と、低コヒーレンス光を信号光と参照光とに分割し、前記被検眼を経由した前記信号光と参照光路を経由した参照光との干渉光を生成して検出する光学系を含み、前記干渉光の検出結果に基づいて前記被検眼の断層像を形成する断層像形成部と、を有する眼科観察装置であって、前記撮影画像形成部は、前記受光手段に対して略共役な位置に設けられ、前記受光手段の位置を表すマークとして前記撮影画像中に写し込まれるマーキング手段を備え、基準位置に配置された前記受光手段を用いて形成された基準撮影画像中に写し込まれた前記マークの位置に基づく基準位置情報をあらかじめ記憶する記憶手段と、前記撮影画像形成部により新たな撮影画像が形成され、前記断層像形成部により断層像が形成されたときに、該撮影画像中に写し込まれた前記マークの位置と前記記憶された基準位置情報とに基づいて、該撮影画像と該断層像との相対位置を補正する補正手段と、を備える、ことを特徴とする。
【００２３】
また、請求項２に記載の発明は、請求項１に記載の眼科観察装置であって、前記撮影画像形成部は、前記受光手段に対して略共役な位置に設けられ、前記反射光の中央部分を透過させる透過領域と周辺部分を遮蔽する遮蔽領域とを有する撮影マスクを含み、前記マーキング手段は、前記撮影マスクの前記遮蔽領域に形成された透光部を含み、前記補正手段は、前記透光部を透過した前記反射光の像として前記基準撮影画像中に写し込まれたマークの位置に基づいて前記基準位置情報をあらかじめ生成し、更に、前記新たな撮影画像及び前記断層像が形成されたときに、該撮影画像中に写し込まれた前記透光部のマークの位置に基づいて前記受光手段の現在位置を表す現在位置情報を生成し、前記現在位置情報と前記基準位置情報とを比較して前記相対位置を補正する、ことを特徴とする。
【００２４】
また、請求項３に記載の発明は、請求項２に記載の眼科観察装置であって、前記マーキング手段は、前記撮影マスクの前記透過領域を挟んだ対向位置に設けられた一対の前記透光部を含み、前記補正手段は、前記撮影画像形成部による撮影画像に基づいて前記一対の透光部に対応する一対の前記マークの中間位置を求め、前記基準撮影画像に基づく前記中間位置と前記新たな撮影画像に基づく前記中間位置との変位に基づいて該撮影画像及び／又は該断層像を平行移動させて前記相対位置を補正する、ことを特徴とする。
【００２５】
また、請求項４に記載の発明は、請求項２に記載の眼科観察装置であって、前記マーキング手段は、前記撮影マスクの前記透過領域を挟んだ対向位置に設けられた一対の前記透光部を含み、前記補正手段は、前記撮影画像形成部による撮影画像に基づいて前記一対の透光部に対応する一対の前記マークを結んだ直線を求め、前記基準撮影画像に基づく前記直線と前記新たな撮影画像に基づく前記直線とが成す角度に基づいて該撮影画像及び／又は該断層像を回転移動させて前記相対位置を補正する、ことを特徴とする。
【００２６】
また、請求項５に記載の発明は、請求項１に記載の眼科観察装置であって、前記マーキング手段は、前記反射光の周辺部分又は前記反射光の外部位置に設けられた発光部材を含み、前記補正手段は、前記発光部材から出力された光の像として前記基準撮影画像中に写し込まれたマークの位置に基づいて前記基準位置情報をあらかじめ生成し、更に、前記新たな撮影画像及び前記断層像が形成されたときに、前記発光部材からの光の像として該撮影画像中に写し込まれたマークの位置に基づいて前記受光手段の現在位置を表す現在位置情報を生成し、前記現在位置情報と前記基準位置情報とを比較して前記相対位置を補正する、ことを特徴とする。
【００２７】
また、請求項６に記載の発明は、請求項５に記載の眼科観察装置であって、前記マーキング手段は、前記反射光を導光する光学系の光軸を挟んだ対向位置に設けられた一対の前記発光部材を含み、前記補正手段は、前記撮影画像形成部による撮影画像に基づいて前記一対の発光部材に対応する一対の前記マークの中間位置を求め、前記基準撮影画像に基づく前記中間位置と前記新たな撮影画像に基づく前記中間位置との変位に基づいて該撮影画像及び／又は該断層像を平行移動させて前記相対位置を補正する、ことを特徴とする。
【００２８】
また、請求項７に記載の発明は、請求項５に記載の眼科観察装置であって、前記マーキング手段は、前記反射光を導光する光学系の光軸を挟んだ対向位置に設けられた一対の前記発光部材を含み、前記補正手段は、前記撮影画像形成部による撮影画像に基づいて前記一対の発光部材に対応する一対の前記マークを結んだ直線を求め、前記基準撮影画像に基づく前記直線と前記新たな撮影画像に基づく前記直線とが成す角度に基づいて該撮影画像及び／又は該断層像を回転移動させて前記相対位置を補正する、ことを特徴とする。
【００２９】
また、請求項８に記載の発明は、請求項１〜請求項７のいずれか一項に記載の眼科観察装置であって、前記マーキング手段は、撮影画像中の異なる位置に複数組の前記マークを写し込むことが可能であり、前記記憶手段は、基準撮影画像中に写し込まれた前記複数組のそれぞれのマークの位置に基づく前記基準位置情報をあらかじめ記憶し、前記補正手段は、前記新たな撮影画像に写し込まれた一組のマークの位置と前記基準位置情報とに基づいて前記相対位置を補正する、ことを特徴とする。
【００３０】
また、請求項９に記載の発明は、請求項１〜請求項８のいずれか一項に記載の眼科観察装置であって、前記撮影画像形成部は、前記反射光を導光する光学系の光軸に沿って移動して撮影倍率を変更する変倍レンズを更に含み、前記補正手段は、前記基準撮影画像が形成されたときの前記変倍レンズの位置と、前記新たな撮影画像が形成されたときの前記変倍レンズの位置とに基づいて、前記基準撮影画像の倍率と前記新たな撮影画像の倍率とを合わせる、ことを特徴とする。
【００３１】
また、請求項１０に記載の発明は、請求項１〜請求項８のいずれか一項に記載の眼科観察装置であって、前記撮影画像形成部は、前記反射光を導光する光学系の光軸に沿って移動して撮影倍率を変更する変倍レンズを更に含み、前記補正手段は、前記基準撮影画像に写し込まれたマークのサイズと、前記新たな撮影画像に写し込まれたマークのサイズとに基づいて、前記基準撮影画像の倍率と前記新たな撮影画像の倍率とを合わせる、ことを特徴とする。
【００３２】
また、請求項１１に記載の発明は、被検眼に照明光を照射する照射手段と、前記被検眼からの前記照明光の反射光を受光する受光手段とを含み、前記反射光の受光結果に基づいて前記被検眼の撮影画像を形成する撮影画像形成部と、低コヒーレンス光を信号光と参照光とに分割し、前記被検眼を経由した前記信号光と参照光路を経由した参照光との干渉光を生成して検出する光学系と、前記被検眼に対して前記信号光を走査する走査手段とを含み、前記干渉光の検出結果に基づいて前記被検眼の断層像を形成する断層像形成部と、を有する眼科観察装置であって、前記撮影画像形成部は、前記受光手段に対して略共役な位置に設けられ、前記受光手段の位置を表すマークとして前記撮影画像中に写し込まれるマーキング手段を備え、基準位置に配置された前記受光手段を用いて形成された基準撮影画像中に写し込まれた前記マークの位置に基づく基準位置情報をあらかじめ記憶する記憶手段と、前記断層像形成部により断層像が形成されたときに、前記走査手段による前記信号光の走査態様と前記記憶された基準位置情報とに基づいて該断層像の位置を補正する補正手段と、を備える、ことを特徴とする。
【００３３】
また、請求項１２に記載の発明は、請求項１１に記載の眼科観察装置であって、前記撮影画像形成部は、前記受光手段に対して略共役な位置に設けられ、前記反射光の中央部分を透過させる透過領域と周辺部分を遮蔽する遮蔽領域とを有する撮影マスクを含み、前記マーキング手段は、前記撮影マスクの前記遮蔽領域に形成された透光部を含み、前記補正手段は、前記透光部を透過した前記反射光の像として前記基準撮影画像中に写し込まれたマークの位置に基づいて前記基準位置情報をあらかじめ生成し、更に、前記断層像が形成されたときに、前記信号光の走査態様と前記基準位置情報とに基づいて前記位置の補正を行う、ことを特徴とする。
【００３４】
また、請求項１３に記載の発明は、請求項１２に記載の眼科観察装置であって、前記走査手段は、前記被検眼の所定の走査領域内において前記信号光を走査し、前記マーキング手段は、前記撮影マスクの前記遮蔽領域に形成された一対の前記透光部を含み、前記補正手段は、前記基準撮影画像中に写し込まれた前記一対の透光部に対応する一対の前記マークの中間位置を求めて前記基準位置情報を生成し、更に、前記断層像が形成されたときの前記所定の走査領域の中心位置を求め、該求められた前記中心位置と前記一対のマークの中間位置との変位に基づいて該断層像を平行移動させて前記位置の補正を行う、ことを特徴とする。
【００３５】
また、請求項１４に記載の発明は、請求項１２に記載の眼科観察装置であって、前記走査手段は、前記被検眼の所定の走査線に沿って前記信号光を走査し、前記マーキング手段は、前記撮影マスクの前記遮蔽領域に形成された一対の前記透光部を含み、前記補正手段は、前記基準撮影画像中に写し込まれた前記一対の透光部に対応する一対の前記マークを結んだ直線を求めて前記基準位置情報を生成し、更に、前記断層像が形成されたときの前記所定の走査線の方向と前記直線とが成す角度に基づいて該断層像を回転移動させて前記位置の補正を行う、ことを特徴とする。
【００３６】
また、請求項１５に記載の発明は、請求項１１に記載の眼科観察装置であって、前記マーキング手段は、前記反射光の周辺部分又は前記反射光の外部位置に設けられた発光部材を含み、前記補正手段は、前記発光部材から出力された光の像として前記基準撮影画像中に写し込まれたマークの位置に基づいて前記基準位置情報をあらかじめ生成し、更に、前記断層像が形成されたときに、前記信号光の走査態様と前記基準位置情報とに基づいて前記位置の補正を行う、ことを特徴とする。
【００３７】
また、請求項１６に記載の発明は、請求項１５に記載の眼科観察装置であって、前記走査手段は、前記被検眼の所定の走査領域内において前記信号光を走査し、前記マーキング手段は、前記反射光を導光する光学系の光軸を挟んだ対向位置に設けられた一対の前記発光部材を含み、前記補正手段は、前記基準撮影画像中に写し込まれた前記一対の発光部材に対応する一対の前記マークの中間位置を求めて前記基準位置情報を生成し、更に、前記断層像が形成されたときの前記所定の走査領域の中心位置を求め、該求められた前記中心位置と前記一対のマークの中間位置との変位に基づいて該断層像を平行移動させて前記位置の補正を行う、ことを特徴とする。
【００３８】
また、請求項１７に記載の発明は、請求項１５に記載の眼科観察装置であって、前記走査手段は、前記被検眼の所定の走査線に沿って前記信号光を走査し、前記マーキング手段は、前記反射光を導光する光学系の光軸を挟んだ対向位置に設けられた一対の前記発光部材を含み、前記補正手段は、前記基準撮影画像中に写し込まれた前記一対の発光部材に対応する一対の前記マークを結んだ直線を求めて前記基準位置情報を生成し、更に、前記断層像が形成されたときの前記所定の走査線の方向と前記直線とが成す角度に基づいて該断層像を回転移動させて前記位置の補正を行う、ことを特徴とする。
【００３９】
また、請求項１８に記載の発明は、請求項１１〜請求項１７のいずれか一項に記載の眼科観察装置であって、前記撮影画像形成部は、前記反射光及び前記信号光を導光する光学系の光軸に沿って移動して撮影倍率を変更する変倍レンズを更に含み、前記補正手段は、前記基準撮影画像が形成されたときの前記変倍レンズの位置と、前記断層像が形成されたときの前記変倍レンズの位置とに基づいて、前記基準撮影画像の倍率と前記断層像の倍率とを合わせる、ことを特徴とする。
【００４０】
また、請求項１９に記載の発明は、請求項１〜請求項１８のいずれか一項に記載の眼科観察装置であって、前記撮影画像形成部により形成された撮影画像に写し込まれた前記マークを消去する画像処理を施す画像処理手段と、前記マークが消去された前記撮影画像を表示する表示手段と、を更に備える、ことを特徴とする。
【発明の効果】
【００４１】
この発明に係る眼科観察装置は、受光手段の位置を表すマークを撮影画像中に写り込ませるマーキング手段と、受光手段の基準位置を表す基準位置情報を記憶する記憶手段とを備える。更に、この眼科観察装置は、新たな撮影画像及び断層像を形成すると、この撮影画像中に写し込まれたマークの位置と基準位置情報とに基づいて、この撮影画像とこの断層像との相対位置を補正する補正手段を有する。
【００４２】
このような眼科観察装置によれば、受光手段の装着位置のズレに基づいて撮影画像と断層像との相対位置を補正できるので、撮影画像と断層像との位置関係を高い確度で把握することが可能になる。
【００４３】
また、従来は３次元画像を形成するのに十分な枚数の断層像を取得しなければ撮影画像と断層像との位置補正を行えなかったが、この発明によれば、少数の断層像を取得した場合であっても、従来のような画像処理とは異なり、基準位置情報を参照することで撮影画像と断層像との位置関係を補正することが可能である。
【００４４】
また、この発明によれば、従来の位置補正処理と比較して簡便な処理によって位置補正を行うことが可能である。それにより、処理時間の短縮や演算に掛かるリソースの節約を図ることができる。
【００４５】
また、この発明に係る眼科観察装置は、被検眼に対して信号光を走査しつつ断層像を形成する。また、この眼科観察装置は、受光手段の位置を表すマークを撮影画像中に写り込ませるマーキング手段と、受光手段の基準位置を表す基準位置情報を記憶する記憶手段とを備える。更に、この眼科観察装置は、断層像を形成すると、信号光の走査態様と基準位置情報とに基づいてこの断層像の位置を補正する補正手段を有する。
【００４６】
この発明によれば、断層像の位置ズレに起因する眼底像と断層像との相対位置のズレを補正できるので、眼底像と断層像との位置関係を高い確度で把握することが可能になる。
【００４７】
また、この発明によれば、従来のような画像処理に代えて基準位置情報を参照することで位置補正を行うことができるので、少数の断層像を取得した場合であっても撮影画像と断層像との位置関係を補正することが可能である。
【００４８】
また、この発明によれば、従来の位置補正処理と比較して簡便な処理によって位置補正を行うことが可能である。
【図面の簡単な説明】
【００４９】
【図１】この発明に係る眼科観察装置の実施形態の全体構成の一例を表す概略図である。
【図２】この発明に係る眼科観察装置の実施形態の撮影マスクの構成の一例を表す概略図である。
【図３】この発明に係る眼科観察装置の実施形態におけるＯＣＴユニットの構成の一例を表す概略構成図である。
【図４】この発明に係る眼科観察装置の実施形態の制御系の構成の一例を表す概略ブロック図である。
【図５】この発明に係る眼科観察装置の実施形態が実行する処理の一例を説明するための概略図である。
【図６】この発明に係る眼科観察装置の実施形態が実行する処理の一例を説明するための概略図である。
【図７】この発明に係る眼科観察装置の実施形態が実行する処理の一例を説明するための概略図である。
【図８】この発明に係る眼科観察装置の実施形態の変形例が実行する処理の一例を説明するための概略図である。
【図９】この発明に係る眼科観察装置の実施形態の変形例が実行する処理の一例を説明するための概略図である。
【発明を実施するための形態】
【００５０】
この発明に係る眼科観察装置の実施形態の一例について、図面を参照しながら詳細に説明する。
【００５１】
この発明に係る眼科観察装置は、光コヒーレンストモグラフィを用いて被検眼の断層像を形成する。この眼科観察装置に適用可能な光コヒーレンストモグラフィの種類は、以下に詳述するフーリエドメインタイプに限定されるものではなく、スウェプトソースタイプやフルフィールドタイプ等の任意の種類であってよい。なお、光コヒーレンストモグラフィにより取得される画像をＯＣＴ画像と呼ぶことがある。
【００５２】
この実施形態では、特許文献５に開示された装置、つまりフーリエドメインタイプのＯＣＴ装置と眼底カメラとを組み合わせた装置、とほぼ同様の構成を具備する眼科観察装置を取り上げる。他の構成を適用する場合においても、この実施形態と同様の構成を適用することで同様の作用及び効果が得られる。
【００５３】
被検眼を撮影するための構成は眼底カメラには限定されず、たとえばスリットランプやＳＬＯ（Ｓｃａｎｎｉｎｇ  Ｌａｓｅｒ  Ｏｐｈｔｈａｌｍｏｓｃｏｐｅ：走査型レーザ検眼鏡）のように任意の眼科観察装置の構成を、この発明に適用することが可能である。
【００５４】
［構成］
眼科観察装置１は、図１に示すように、眼底カメラユニット１Ａ、ＯＣＴユニット１５０及び演算制御装置２００を含んで構成される。眼底カメラユニット１Ａは、従来の眼底カメラとほぼ同様の光学系を有する。眼底カメラは、眼底の表面を撮影して２次元画像（撮影画像）を形成する装置である。また、眼底カメラは、眼底血管の形態の撮影に利用される。ＯＣＴユニット１５０は、眼底のＯＣＴ画像を取得するための光学系を格納している。演算制御装置２００は、各種の演算処理や制御処理等を実行するコンピュータを具備している。
【００５５】
ＯＣＴユニット１５０には、接続線１５２の一端が取り付けられている。接続線１５２の他端には、接続線１５２を眼底カメラユニット１Ａに接続するコネクタ部１５１が取り付けられている。接続線１５２の内部には光ファイバ１５２ａが導通されている（図３を参照）。ＯＣＴユニット１５０と眼底カメラユニット１Ａは、接続線１５２を介して光学的に接続されている。演算制御装置２００は、眼底カメラユニット１Ａ及びＯＣＴユニット１５０のそれぞれと、電気信号を伝達する通信線を介して接続されている。
【００５６】
〔眼底カメラユニット〕
眼底カメラユニット１Ａは、被検眼Ｅに照明光を照射し、その眼底反射光を受光することにより、眼底表面の形態を表す撮影画像を形成するための光学系を有する。代表的な眼底表面の撮影画像としては、眼底表面を描写するカラー画像やモノクロ画像、更には血管動態を描写する蛍光画像（フルオレセイン蛍光画像、インドシアニングリーン蛍光画像等）などがある。
【００５７】
眼底カメラユニット１Ａには、従来の眼底カメラと同様に、照明光学系１００と撮影光学系１２０が設けられている。照明光学系１００と撮影光学系１２０は、この発明の「撮影画像形成部」の一例である。照明光学系１００は眼底Ｅｆに照明光を照射するもので、この発明の「照明手段」の一例である。撮影光学系１２０は、この照明光の眼底反射光を撮像装置１０、１２に導く。また、撮影光学系１２０は、ＯＣＴユニット１５０からの信号光を眼底Ｅｆに導くとともに、眼底Ｅｆを経由した信号光をＯＣＴユニット１５０に導く。
【００５８】
照明光学系１００は、従来の眼底カメラと同様に、観察光源１０１、コンデンサレンズ１０２、撮影光源１０３、コンデンサレンズ１０４、エキサイタフィルタ１０５及び１０６、リング透光板１０７（リングスリット１０７ａ）、ミラー１０８、ＬＣＤ（Ｌｉｑｕｉｄ  Ｃｒｙｓｔａｌ  Ｄｉｓｐｌａｙ）１０９、照明絞り１１０、リレーレンズ１１１、孔開きミラー１１２、対物レンズ１１３を含んで構成される。
【００５９】
観察光源１０１は、たとえば約７００ｎｍ〜８００ｎｍの範囲の近赤外領域の波長を含む照明光を出力する。この近赤外光は、ＯＣＴユニット１５０で使用する光の波長よりも短く設定されている（後述）。撮影光源１０３は、たとえば約４００ｎｍ〜７００ｎｍの範囲の可視領域の波長を含む照明光を出力する。
【００６０】
観察光源１０１から出力された照明光は、コンデンサレンズ１０２、１０４、（エキサイタフィルタ１０５又は１０６、）リング透光板１０７、ミラー１０８、ＬＣＤ１０９、照明絞り１１０、リレーレンズ１１１を介して孔開きミラー１１２に到達する。更に、この照明光は、孔開きミラー１１２により反射され、対物レンズ１１３を介して被検眼Ｅに入射して眼底Ｅｆを照明する。一方、撮影光源１０３から出力された照明光は、コンデンサレンズ１０４から対物レンズ１１３までを経由して被検眼Ｅに入射して眼底Ｅｆを照明する。
【００６１】
撮影光学系１２０は、対物レンズ１１３、孔開きミラー１１２（の孔部１１２ａ）、撮影絞り１２１、バリアフィルタ１２２及び１２３、変倍レンズ１２４、リレーレンズ１２５、撮影レンズ１２６、ダイクロイックミラー１３４、撮影マスク１２７、フィールドレンズ（視野レンズ）１２８、ハーフミラー１３５、リレーレンズ１３１、ダイクロイックミラー１３６、撮影レンズ１３３、撮像装置１０、撮影レンズ１３７、マウント１３８、撮像装置１２、レンズ１３９及びＬＣＤ１４０を含んで構成される。撮影光学系１２０は、従来の眼底カメラとほぼ同様の構成を有する。
【００６２】
ダイクロイックミラー１３４は、照明光学系１００からの照明光の眼底反射光（約４００ｎｍ〜８００ｎｍの範囲に含まれる波長を有する）を反射する。また、ダイクロイックミラー１３４は、ＯＣＴユニット１５０からの信号光ＬＳ（たとえば約８００ｎｍ〜９００ｎｍの範囲に含まれる波長を有する；図３を参照）を透過させる。
【００６３】
ダイクロイックミラー１３６は、近赤外光（観察光源１０１からの照明光の眼底反射光等）を反射し、可視光（撮影光源１０３からの照明光の眼底反射光等）を透過させる。
【００６４】
ＬＣＤ１４０は、被検眼Ｅを固視させるための固視標（内部固視標）を表示する。ＬＣＤ１４０からの光は、レンズ１３９により集光され、ハーフミラー１３５により反射され、フィールドレンズ１２８を経由してダイクロイックミラー１３４に反射される。更に、この光は、撮影レンズ１２６、リレーレンズ１２５、変倍レンズ１２４、孔開きミラー１１２（の孔部１１２ａ）、対物レンズ１１３等を経由して被検眼Ｅに入射する。それにより、眼底Ｅｆに内部固視標が投影される。
【００６５】
ＬＣＤ１４０による内部固視標の表示位置を変更することにより、被検眼Ｅの固視方向を変更することができる。被検眼Ｅの固視方向としては、たとえば従来の眼底カメラと同様に、眼底Ｅｆの黄斑部を中心とする画像を取得するための固視方向や、視神経乳頭を中心とする画像を取得するための固視方向や、黄斑部と視神経乳頭との間の眼底中心を中心とする画像を取得するための固視方向などがある。
【００６６】
撮像装置１０には、撮像素子１０ａが内蔵されている。撮像装置１０は、特に近赤外領域の波長の光を検出可能である。つまり、撮像装置１０は、近赤外光を検出する赤外線テレビカメラとして機能する。撮像装置１０は、近赤外光を検出して映像信号を出力する。撮像素子１０ａは、たとえば、ＣＣＤ（Ｃｈａｒｇｅ  Ｃｏｕｐｌｅｄ  Ｄｅｖｉｃｅｓ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）等の任意の撮像素子（エリアセンサ）である。
【００６７】
撮像装置１２は、マウント１３８によって眼底カメラユニット１Ａの筺体に装着されるデジタルカメラである。マウント１３８は眼科観察装置１側の装着部であり、撮像装置１２側の装着部と係合可能に構成されている。マウント１３８は、所定の規格に応じた形態を有しており、様々なデジタルカメラを装着／脱着可能に構成されている。それにより、ユーザは、所望のデジタルカメラを撮像装置１２として用いることができる。
【００６８】
撮像装置１２には、撮像素子１２ａが内蔵されている。撮像装置１２は、特に可視領域の波長の光を検出可能である。つまり、撮像装置１２は、可視光を検出するテレビカメラとして機能する。撮像装置１２は、可視光を検出して映像信号を出力する。撮像素子１２ａは、撮像素子１０ａと同様に、任意の撮像素子（エリアセンサ）により構成される。撮像装置１２（撮像素子１２ａ）は、この発明の「受光手段」の一例である。
【００６９】
なお、ダイクロイックミラー１３６の代わりにハーフミラーを設けるとともに、可視光及び近赤外光を検出可能な各撮像装置１０、１２を設けることにより、二つの撮像装置１０、１２を選択的に使用することができる。たとえば、撮像装置１０が眼科観察装置１に内蔵されている場合、撮像装置１０よりも高性能（高画素数など）のデジタルカメラを撮像装置１２としてマウントに装着することにより、特に高詳細が求められる画像を取得する際には撮像装置１２を使用し、それ以外の画像を取得する際には撮像装置１０を使用することができる。
【００７０】
なお、撮像装置１０、１２の双方が内蔵タイプであってもよいし（たとえば特許文献５を参照）、双方が眼底カメラユニット１Ａの筺体に装着するタイプであってもよい。また、眼科観察装置１に設けられる撮像装置の個数は任意であり、内蔵タイプの個数と装着タイプの個数もそれぞれ任意である。
【００７１】
タッチパネルモニタ１１は、撮像素子１０ａからの映像信号に基づいて眼底像Ｅｆ´を表示する。更に、撮像素子１０ａからの映像信号は演算制御装置２００に送られる。また、撮像素子１２ａからの映像信号は、演算制御装置２００や他の装置（表示装置や画像解析装置）に送信される。なお、撮像素子１２ａからの映像信号に基づく眼底像をタッチパネルモニタ１１に表示可能にしてもよい。
【００７２】
撮影マスク１２７は、各撮像装置１０、１２により撮影される画像の撮影範囲を決定する部材である。撮影マスク１２７は、各撮像素子１０ａ、１２ａに対してほぼ共役な位置に配置されている。なお、眼底Ｅｆに対して光学系のアライメント及びピント合わせがなされた状態においては、撮影マスク１２７は眼底Ｅｆともほぼ共役になる。ここで、アライメントやピント合わせは、従来の眼底カメラと同様にして実行できる。
【００７３】
撮影マスク１２７の構成例を図２に示す。撮影マスク１２７には、照明光の眼底反射光の（ビーム断面の）中央部分を透過させる透過領域１２７ａと、その周辺部分を遮蔽する遮蔽領域１２７ｂとが設けられている。
【００７４】
透過領域１２７ａは、眼底反射光を透過させるように、透明な素材により又は開口部として形成される。透過領域１２７ａは、略円形に形成され、その中心位置が撮影光学系１２０の光軸を通過するように配置されている。なお、透過領域１２７ａの周縁部に設けられた凸領域は、撮影画像の向きを識別可能にするためのものである。
【００７５】
遮蔽領域１２７ｂは、眼底反射光を遮蔽するように、遮光作用を有する素材により形成され、又はその表面が遮光作用を有する色（たとえば黒色）に塗られている。
【００７６】
遮蔽領域１２７ｂには、透過領域１２７ａを挟むように互いに対向する位置に形成された一対の透光部１２７ｃ、１２７ｄが設けられている。透光部１２７ｃ、１２７ｄは、この発明の「マーキング手段」の一例である。
【００７７】
各透光部１２７ｃ、１２７ｄは、透過領域１２７ａと同様に、透明な素材により又は開口部として形成される。各透光部１２７ｃ、１２７ｄは、内側（透過領域１２７ａ側）を頂点とする二等辺三角形の形状を有する。一対の透光部１２７ｃ、１２７ｄは、これらの内側頂点を結ぶ直線（線分）が透過領域１２７ａの中心位置を通過するように配設される。更に、一対の透光部１２７ｃ、１２７ｄは、この線分の中間位置、つまり２つの内側頂点の中間位置が透過領域１２７ａの中心位置に一致するように配設されることが望ましい。
【００７８】
なお、この線分の所定の内分位置に当該中心位置が一致するように一対の透光部１２７ｃ、１２７ｄを配設してもよい。また、内側頂点の代わりに、各透光部１２７ｃ、１２７ｄの特徴位置（重心位置、他の頂点、辺の中点等）を基準として、一対の透光部１２７ｃ、１２７ｄの位置を定めてもよい。いずれにしても、上記中心位置や上記線分を一義的に特定することが可能な位置に透光部が設けられていればよい。
【００７９】
撮影マスク１２７は撮像素子１２ａ（の受光面）に対してほぼ共役に配置されているので、各透光部１２７ｃ、１２７ｄを透過した眼底反射光は撮像素子１２ａにおいて結像する。よって、撮像装置１２は、透過領域１２７ａを透過した眼底反射光に基づく眼底像とともに、各透光部１２７ｃ、１２７ｄを透過した眼底反射光に基づく三角形の画像（マーク）を形成する。ここで、一対のマークは、眼底像の周囲の黒色の背景領域（遮蔽領域１２７ｂに対応する）内に形成され、かつ、眼底像を挟み込むように互いに対向する位置に形成される。すなわち、上記の共役関係により、一対のマークと眼底像との位置関係は、透過領域１２７ａと透光部１２７ｃ、１２７ｄとの位置関係に対応している。
【００８０】
眼底カメラユニット１Ａには、走査ユニット１４１とレンズ１４２とが設けられている。走査ユニット１４１は、ＯＣＴユニット１５０から出力される信号光ＬＳの眼底Ｅｆに対する照射位置を走査する。
【００８１】
走査ユニット１４１は、図１に示すｘｙ平面上において信号光ＬＳを走査する。そのために、走査ユニット１４１には、たとえば、ｘ方向への走査用のガルバノミラーと、ｙ方向への走査用のガルバノミラーとが設けられている。
【００８２】
〔ＯＣＴユニット〕
ＯＣＴユニット１５０の構成について図３を参照しつつ説明する。ＯＣＴユニット１５０は、従来のフーリエドメインタイプのＯＣＴ装置と同様の光学系を備えている。すなわち、ＯＣＴユニット１５０は、低コヒーレンス光を参照光と信号光に分割し、被検眼の眼底を経由した信号光と参照物体を経由した参照光とを干渉させて干渉光を生成して検出する光学系を備えている。干渉光の検出結果（検出信号）は演算制御装置２００に送られる。なお、この実施形態ではフーリエドメインタイプが適用されているので、干渉計は、生成された干渉光のスペクトル成分を検出するようになっている。
【００８３】
低コヒーレンス光源１６０は、広帯域の低コヒーレンス光Ｌ０を出力する広帯域光源である。この広帯域光源としては、たとえば、スーパールミネセントダイオード（Ｓｕｐｅｒ  Ｌｕｍｉｎｅｓｃｅｎｔ  Ｄｉｏｄｅ：ＳＬＤ）や、発光ダイオード（Ｌｉｇｈｔ  Ｅｍｉｔｔｉｎｇ  Ｄｉｏｄｅ：ＬＥＤ）などを用いることができる。
【００８４】
低コヒーレンス光Ｌ０は、たとえば、近赤外領域の波長の光を含み、かつ、数十マイクロメートル程度の時間的コヒーレンス長を有する。低コヒーレンス光Ｌ０は、眼底カメラユニット１Ａの照明光（波長約４００ｎｍ〜８００ｎｍ）よりも長い波長、たとえば約８００ｎｍ〜９００ｎｍの範囲の波長を含んでいる。
【００８５】
低コヒーレンス光源１６０から出力された低コヒーレンス光Ｌ０は、光ファイバ１６１を通じて光カプラ１６２に導かれる。光ファイバ１６１は、たとえばシングルモードファイバやＰＭファイバ（Ｐｏｌａｒｉｚａｔｉｏｎ  ｍａｉｎｔａｉｎｉｎｇ  ｆｉｂｅｒ；偏波面保持ファイバ）等により構成される。光カプラ１６２は、低コヒーレンス光Ｌ０を参照光ＬＲと信号光ＬＳとに分割する。
【００８６】
なお、光カプラ１６２は、光を分割する手段（スプリッタ；ｓｐｌｉｔｔｅｒ）、及び、光を重畳する手段（カプラ；ｃｏｕｐｌｅｒ）の双方の作用を有するが、ここでは慣用的に「光カプラ」と称する。
【００８７】
光カプラ１６２により生成された参照光ＬＲは、シングルモードファイバ等からなる光ファイバ１６３により導光されてそのファイバ端面から出射される。更に、参照光ＬＲは、コリメータレンズ１７１により平行光束とされ、ガラスブロック１７２及び濃度フィルタ１７３を経由し、参照ミラー１７４により反射される。
【００８８】
参照ミラー１７４により反射された参照光ＬＲは、再び濃度フィルタ１７３及びガラスブロック１７２を経由し、コリメータレンズ１７１によって光ファイバ１６３のファイバ端面に集光され、光ファイバ１６３を通じて光カプラ１６２に導かれる。
【００８９】
ガラスブロック１７２と濃度フィルタ１７３は、参照光ＬＲと信号光ＬＳの光路長（光学距離）を合わせるための遅延手段として作用する。また、ガラスブロック１７２と濃度フィルタ１７３は、参照光ＬＲと信号光ＬＳの分散特性を合わせるための分散補償手段として作用する。
【００９０】
濃度フィルタ１７３は、参照光ＬＲの光量を減少させる減光フィルタとして作用する。濃度フィルタ１７３は、たとえば、回転型のＮＤ（Ｎｅｕｔｒａｌ  Ｄｅｎｓｉｔｙ）フィルタにより構成される。濃度フィルタ１７３は、図示しない駆動機構によって回転駆動されて、干渉光ＬＣの生成に寄与する参照光ＬＲの光量を変更する。
【００９１】
また、参照ミラー１７４は、図示しない駆動機構により、参照光ＬＲの進行方向（図３に示す両側矢印方向）に移動される。それにより、被検眼Ｅの眼軸長やワーキングディスタンス（対物レンズ１１３と被検眼Ｅとの間の距離）などに応じて、参照光ＬＲの光路長を確保できる。なお、参照光ＬＲの光路（参照光路）上には、偏光状態を調整するための偏光素子が設けられていてもよい。
【００９２】
他方、光カプラ１６２により生成された信号光ＬＳは、シングルモードファイバ等からなる光ファイバ１６４により接続線１５２の端部まで導光される。ここで、光ファイバ１６４と光ファイバ１５２ａは、単一の光ファイバから形成されていてもよいし、各々の端面同士を接合するなどして一体的に形成されていてもよい。
【００９３】
信号光ＬＳは、光ファイバ１５２ａにより導光されて眼底カメラユニット１Ａに案内される。更に、信号光ＬＳは、レンズ１４２、走査ユニット１４１、ダイクロイックミラー１３４、撮影レンズ１２６、リレーレンズ１２５、変倍レンズ１２４、撮影絞り１２１、孔開きミラー１１２の孔部１１２ａ、対物レンズ１１３を経由して被検眼Ｅに入射して眼底Ｅｆに照射される。なお、信号光ＬＳを眼底Ｅｆに照射させるときには、バリアフィルタ１２２、１２３は事前に光路から退避される。
【００９４】
被検眼Ｅに入射した信号光ＬＳは、眼底Ｅｆ上にて結像し反射される。このとき、信号光ＬＳは、眼底Ｅｆの表面で反射されるだけでなく、眼底Ｅｆの深部領域にも到達して屈折率境界において散乱される。したがって、眼底Ｅｆを経由した信号光ＬＳは、眼底Ｅｆの表面形態を反映する情報と、眼底Ｅｆの深層組織の屈折率境界における後方散乱の状態を反映する情報とを含んでいる。この光を単に「信号光ＬＳの眼底反射光」と呼ぶことがある。
【００９５】
信号光ＬＳの眼底反射光は、被検眼Ｅに向かう信号光ＬＳと同じ経路を逆方向に案内されて光ファイバ１５２ａの端面に集光される。更に、信号光ＬＳの眼底反射光は、光ファイバ１５２ａを通じてＯＣＴユニット１５０に入射し、光ファイバ１６４を通じて光カプラ１６２に戻ってくる。
【００９６】
光カプラ１６２は、眼底Ｅｆを経由して戻ってきた信号光ＬＳと、参照ミラー１７４にて反射された参照光ＬＲとを重ね合わせて干渉光ＬＣを生成する。干渉光ＬＣは、シングルモードファイバ等からなる光ファイバ１６５を通じてスペクトロメータ１８０に導かれる。
【００９７】
スペクトロメータ（分光計）１８０は、干渉光ＬＣのスペクトル成分を検出する。スペクトロメータ１８０は、コリメータレンズ１８１、回折格子１８２、結像レンズ１８３、ＣＣＤ１８４を含んで構成される。回折格子１８２は、透過型でも反射型でもよい。また、ＣＣＤ１８４に代えて、ＣＭＯＳ等の他の光検出素子（ラインセンサ又はエリアセンサ）を用いることも可能である。
【００９８】
スペクトロメータ１８０に入射した干渉光ＬＣは、コリメータレンズ１８１により平行光束とされ、回折格子１８２によって分光（スペクトル分解）される。分光された干渉光ＬＣは、結像レンズ１８３によってＣＣＤ１８４の受光面上に結像される。ＣＣＤ１８４は、分光された干渉光ＬＣの各スペクトル成分を検出して電荷に変換する。ＣＣＤ１８４は、この電荷を蓄積して検出信号を生成する。更に、ＣＣＤ１８４は、この検出信号を演算制御装置２００に送る。
【００９９】
なお、この実施形態ではマイケルソン型の干渉計を採用しているが、たとえばマッハツェンダー型など任意のタイプの干渉計を適宜に採用することが可能である。
【０１００】
〔演算制御装置〕
演算制御装置２００の構成について説明する。演算制御装置２００は、ＣＣＤ１８４から入力される検出信号を解析して眼底ＥｆのＯＣＴ画像を形成する。そのための演算処理は、従来のフーリエドメインタイプのＯＣＴ装置と同様である。
【０１０１】
また、演算制御装置２００は、眼底カメラユニット１Ａ及びＯＣＴユニット１５０の各部を制御する。
【０１０２】
眼底カメラユニット１Ａの制御として、演算制御装置２００は、観察光源１０１や撮影光源１０３による照明光の出力制御、エキサイタフィルタ１０５、１０６やバリアフィルタ１２２、１２３の光路上への挿入／退避動作の制御、ＬＣＤ１４０等の表示装置の動作制御、照明絞り１１０の移動制御（絞り値の制御）、撮影絞り１２１の絞り値の制御、変倍レンズ１２４の移動制御（倍率／画角の制御）などを行う。更に、演算制御装置２００は、走査ユニット１４１を制御して信号光ＬＳを走査させる。
【０１０３】
また、ＯＣＴユニット１５０の制御として、演算制御装置２００は、低コヒーレンス光源１６０による低コヒーレンス光Ｌ０の出力制御、参照ミラー１７４の移動制御、濃度フィルタ１７３の回転動作（参照光ＬＲの光量の減少量の変更動作）の制御、ＣＣＤ１８４による電荷蓄積時間や電荷蓄積タイミングや信号送信タイミングの制御などを行う。
【０１０４】
演算制御装置２００は、従来のコンピュータと同様に、マイクロプロセッサ、ＲＡＭ、ＲＯＭ、ハードディスクドライブ、キーボード、マウス、ディスプレイ、通信インターフェイスなどを含んで構成される。ハードディスクドライブには、眼科観察装置１を制御するためのコンピュータプログラムが記憶されている。また、演算制御装置２００は、ＣＣＤ１８４からの検出信号に基づいてＯＣＴ画像を形成する専用の回路基板を備えていてもよい。
【０１０５】
〔制御系〕
眼科観察装置１の制御系の構成について図４を参照しつつ説明する。
【０１０６】
（制御部）
眼科観察装置１の制御系は、演算制御装置２００の制御部２１０を中心に構成される。制御部２１０は、たとえば、前述のマイクロプロセッサ、ＲＡＭ、ＲＯＭ、ハードディスクドライブ、通信インターフェイス等を含んで構成される。
【０１０７】
制御部２１０には、主制御部２１１と記憶部２１２が設けられている。主制御部２１１は、前述した各種の制御を行う。
【０１０８】
記憶部２１２は、各種のデータを記憶する。記憶部２１２に記憶されるデータとしては、たとえば、ＯＣＴ画像の画像データ、眼底像Ｅｆ´の画像データ、被検眼情報などがある。被検眼情報は、患者ＩＤや氏名などの被検者に関する情報や、左眼／右眼の識別情報などの被検眼に関する情報を含む。主制御部２１１は、記憶部２１２にデータを書き込む処理や、記憶部２１２からデータを読み出す処理を行う。
【０１０９】
また、記憶部２１２には基準位置情報２１３が記憶されている。記憶部２１２は、この発明の「記憶手段」の一例である。基準位置情報２１３は、所定の基準位置に配置された撮像装置１２（撮像素子１２ａ）を用いて形成された撮影画像に基づいて生成される。この生成処理は画像処理部２３０が実行する。
【０１１０】
基準位置情報２１３を生成する処理について図５を参照しつつ説明する。図５に示す画像（基準撮影画像）Ｔは、基準位置に配置された撮像装置１２により撮影されたものである。基準撮影画像Ｔには実際の眼底の画像が描写されている必要はなく、一対のマークＦ１、Ｆ２が描写されていれば十分である。また、模型眼の眼底を撮影して基準撮影画像Ｔを取得してもよい。
【０１１１】
基準撮影画像Ｔは、たとえば装置の出荷前、メンテナンス時、装置の電源投入時、各被検者に対する検査開始前、各被検眼に対する検査開始前など、補正対象となる眼底像や断層像を形成する前に取得される。
【０１１２】
基準位置は、特別な意味を持った位置である必要はない。基準位置は、基準撮影画像Ｔが取得されたときの撮像装置１２の位置、つまりマウント１３８に対する撮像装置１２の装着位置や装着姿勢である。
【０１１３】
この実施形態は、基準撮影画像Ｔが取得されたときの撮像装置１２の位置（基準位置）と、被検眼Ｅの実際の眼底像や断層像が取得されたときの撮像装置１２（又は撮像装置１０）の位置（現在位置）とを比較することによって、当該眼底像と当該断層像との位置関係を補正するものである。
【０１１４】
なお、基準撮影画像Ｔを取得する撮像装置と、実際の眼底像を取得する撮像装置とは、同じ装置である必要はない。たとえば、出荷時やメンテナンス時には、専用の撮像装置（工具カメラなどと呼ばれる）が用いられるので、基準撮影画像Ｔは工具カメラによって取得され、実際の眼底像は検査用の撮像装置により取得されることになる。また、電源投入時や各被検眼の検査前に基準撮影画像Ｔを取得する場合には、基準撮影画像Ｔも実際の眼底像も同じ撮像装置によって取得してもよい。
【０１１５】
基準撮影画像Ｔが取得されたら、画像処理部２３０は、一対のマークＦ１、Ｆ２を結ぶ線分（基準線）Ｈ０を求める。この処理は、たとえば次のようにして実行できる。なお、以下の処理は、基準撮影画像Ｔを形成する画素の位置を表す座標系など、任意の２次元座標系を用いて実行される。
【０１１６】
まず、基準撮影画像Ｔの画素値を解析し、基準撮影画像Ｔ中における各マークＦ１、Ｆ２の位置を特定する。次に、各マークＦ１、Ｆ２中の特徴位置（たとえば上記の内側頂点に相当する位置や重心位置など）を特定する。続いて、マークＦ１の特徴位置とマークＦ２の特徴位置とを結ぶ基準線Ｈ０を求める。
【０１１７】
基準線Ｈ０が得られたら、画像処理部２３０は、この線分の中間位置（基準中心）Ｋ０を求める。前述のように、二つの透光部１２７ｃ、１２７ｄを結ぶ線分の中間位置は透過領域１２７ａの中心位置に一致されていること、更に、撮影マスク１２７と撮像装置１２とはほぼ共役に配置されていることから、二つのマークＦ１、Ｆ２を結ぶ線分の中間位置である基準中心Ｋ０は、透過領域１２７ａを通過して受光された光の像（ほぼ円形である）の中心位置にほぼ一致する。
【０１１８】
画像処理部２３０は、このようにして得られた基準線Ｈ０及び基準中心Ｋ０のそれぞれの位置情報（座標値）を制御部２１０に送る。主制御部２１１は、これら位置情報を基準位置情報２１３として記憶部２１２に記憶させる。
【０１１９】
このとき、基準撮影画像Ｔが取得されたときの撮影倍率（撮影画角）を基準位置情報２１３に含めて記憶させてもよい。なお、撮影倍率は、基準撮影画像Ｔが取得されるときの変倍レンズ１２４の位置から得られる。
【０１２０】
基準位置情報２１３は、上記のデータ形態に限定されるものではない。たとえば、二つのマークＦ１、Ｆ２の位置を表す座標値を基準位置情報２１３として記憶してもよい。この場合、基準線Ｈ０や基準中心Ｋ０を求める処理は、眼底Ｅｆの実際の撮影時などに実行される。また、基準線Ｈ０の座標値のみを基準位置情報２１３として記憶し、実際の撮影時などに基準中心Ｋ０を求めるようにしてもよい。また、基準撮影画像Ｔ自体を基準位置情報２１３として記憶し、実際の撮影時などに基準線Ｈ０や基準中心Ｋ０を求めるようにしてもよい。
【０１２１】
基準位置情報２１３を取得する際に、信号光ＬＳを走査する走査ユニット１４１（ガルバノミラー）の調整も行うことが望ましい。この調整作業は、たとえば、対物レンズ１１３の前面側に走査調整用スケールを配置して行う。走査調整用スケールには、たとえば、縦線と横線が網目状に設けられている。また、走査調整用スケールには、中心位置を示す印が設けられている。走査調整用スケールは、この印が撮影光学系１２０の光軸に一致するように、かつ、横線がｘ方向に沿うように、そして縦線がｙ方向に沿うように、対物レンズ１１３の前に配置される。
【０１２２】
まず、双方のガルバノミラーがニュートラルな位置（原点位置：たとえば、駆動用の電圧が印加されていない状態における位置）にあるときに、信号光ＬＳが走査調整用スケールの中心位置に投影されるように、双方のガルバノミラーの位置を調整する。
【０１２３】
更に、信号光ＬＳをｘ方向に走査させたときに、つまりｘ方向への走査用のガルバノミラーを駆動したときに、その走査線が横線に対して平行になるように当該ガルバノミラーの位置を調整する。同様に、信号光ＬＳをｙ方向に走査させたときに、つまりｙ方向への走査用のガルバノミラーを駆動したときに、その走査線が縦線に対して平行になるように当該ガルバノミラーの位置を調整する。以上の作業により、走査中心と、ｘ方向及びｙ方向への走査の向きが補正される。
【０１２４】
このような位置調整が為されると、位置ズレはあまり発生しない。少なくとも、走査ユニット１４１の位置ズレは、撮像装置１２の位置ズレのような頻度では発生しない。
【０１２５】
（画像形成部）
画像形成部２２０は、ＣＣＤ１８４からの検出信号に基づいて眼底Ｅｆの断層像の画像データを形成する。この処理には、従来のフーリエドメインタイプの光コヒーレンストモグラフィと同様に、ノイズ除去（ノイズ低減）、フィルタ処理、ＦＦＴ（Ｆａｓｔ  Ｆｏｕｒｉｅｒ  Ｔｒａｎｓｆｏｒｍ）などの処理が含まれている。
【０１２６】
画像形成部２２０は、たとえば、前述の回路基板や通信インターフェイス等を含んで構成される。画像形成部２２０は、ＯＣＴユニット１５０内の光学系や、信号光ＬＳを導光する眼底カメラユニット１Ａ内の光学系とともに、この発明の「断層像形成部」を構成する。なお、この明細書では、「画像データ」と、それに基づいて呈示される「画像」とを同一視することがある。
【０１２７】
（画像処理部）
画像処理部２３０は、画像形成部２２０により形成された画像に対して各種の画像処理や解析処理を施す。たとえば、画像処理部２３０は、画像の輝度補正や分散補正等の各種補正処理などを実行する。また、画像処理部２３０は、基準撮影画像Ｔに対する上記の処理を実行する。
【０１２８】
また、画像処理部２３０は、画像形成部２２０により形成された断層像の間の画素を補間する補間処理等を実行することにより、眼底Ｅｆの３次元画像の画像データを形成する。
【０１２９】
なお、３次元画像の画像データとは、３次元座標系により画素の位置が定義された画像データを意味する。３次元画像の画像データとしては、３次元的に配列されたボクセルからなる画像データがある。この画像データは、ボリュームデータ或いはボクセルデータなどと呼ばれる。ボリュームデータに基づく画像を表示させる場合、画像処理部２３０は、このボリュームデータに対してレンダリング処理（ボリュームレンダリングやＭＩＰ（Ｍａｘｉｍｕｍ  Ｉｎｔｅｎｓｉｔｙ  Ｐｒｏｊｅｃｔｉｏｎ：最大値投影）など）を施して、特定の視線方向から見たときの擬似的な３次元画像の画像データを形成する。表示部２４０等の表示デバイスには、この擬似的な３次元画像が表示される。
【０１３０】
また、３次元画像の画像データとして、複数の断層像のスタックデータを形成することも可能である。スタックデータは、複数の走査線に沿って得られた複数の断層像を、走査線の位置関係に基づいて３次元的に配列させることで得られる画像データである。すなわち、スタックデータは、元々個別の２次元座標系により定義されていた複数の断層像を、一つの３次元座標系により表現する（つまり一つの３次元空間に埋め込む）ことにより得られる画像データである。
【０１３１】
画像処理部２３０には、変位補正部２３１と回転補正部２３２が設けられている。これら補正部２３１、２３２を含む画像処理部２３０は、この発明の「補正手段」の一例である。
【０１３２】
変位補正部２３１は、撮像装置１２（又は撮像装置１０）による撮影画像に基づいて、一対の透光部１２７ｃ、１２７ｄに対応する一対のマークの中間位置を求める。基準撮影画像Ｔについては、前述のように、マークＦ１、Ｆ２の基準中心Ｋ０を求める。
【０１３３】
また、図６に示すように眼底Ｅｆを撮影して得られた眼底像Ｅｆ´については、基準撮影画像Ｔと同様の処理を実行することにより、眼底像Ｅｆ´に写し込まれた一対のマークＭ１、Ｍ２の中間位置Ｋを求める。中間位置Ｋは、眼底像Ｅｆ´において眼底Ｅｆの表面を描写した画像の中心位置を表す。以下、中間位置Ｋを画像中心Ｋと称することがある。
【０１３４】
図６に示す符号Ｒは、眼底Ｅｆにおける信号光ＬＳの走査領域を表す。この矩形状の走査領域Ｒは３次元スキャン（後述）である。３次元スキャンでは、それぞれが水平方向（ｘ方向）に直線状に延びる複数の走査線に沿って信号光ＬＳを走査する。複数の走査線は垂直方向（ｙ方向）に配列されている。が設定される。なお、図６においては、横方向がｘ方向に相当し、縦方向がｙ方向に相当する。信号光ＬＳの走査領域は、一般に眼底像Ｅｆ´の取得範囲よりも狭い。図６の走査領域Ｒは、たとえば６ｍｍ×６ｍｍの正方形状である。
【０１３５】
変位補正部２３１は、基準中心Ｋ０と画像中心Ｋとの変位に基づいて、眼底像Ｅｆ´及び／又は断層像を平行移動させて、これら二つの画像の相対位置を補正する。この処理について図７を参照しつつ説明する。
【０１３６】
なお、図７に示すＸＹ座標系は、画像を形成する画素の位置を表す座標系などの前述の２次元座標系である。ここで、基準撮影画像Ｔの撮影倍率と眼底像Ｅｆ´の撮影倍率とが異なる場合、画像処理部２３０は、倍率が同じになるように一方又は双方の画像を拡大／縮小して両画像のスケールを合わせる。それにより、両画像の倍率が一致される。ここで、各画像Ｔ、Ｅｆ´の撮影倍率は、たとえば、その画像が取得されたときの変倍レンズ１２４の位置から得られる。
【０１３７】
また、各画像Ｔ、Ｅｆ´に写し込まれたマークのサイズ（面積、高さ、辺の長さ等、マークの大きさを表す物理量）を求め、双方の画像Ｔ、Ｅｆ´のマークのサイズを等しくするように両画像の倍率を合わせることも可能である。
【０１３８】
変位補正部２３１は、基準中心Ｋ０の座標値（Ｘ０、Ｙ０）と、画像中心Ｋの座標値（Ｘ、Ｙ）とに基づいて、Ｘ方向の変位ΔＸ＝Ｘ−Ｘ０と、Ｙ方向の変位ΔＹ＝Ｙ−Ｙ０を求める。この変位Δ＝（ΔＸ、ΔＹ）は、基準撮影画像Ｔの基準中心Ｋ０に対する、眼底像Ｅｆ´の画像中心ＫのＸＹ平面における変位を表す。なお、画像中心Ｋの座標値（Ｘ、Ｙ）は、この発明の「現在位置情報」の一例である。現在位置情報は撮像装置１２の現在位置を表す情報であり、これは、撮像装置１２の装着位置や装着姿勢によって撮像素子１２ａと透光部１２７ｃ、１２７ｄとの相対位置が変化することによるものである。
【０１３９】
続いて、変位補正部２３１は、この変位Δを打ち消すように、眼底像Ｅｆ´を平行移動させる。この処理は、たとえば、眼底像Ｅｆ´を（−ΔＸ、−ΔＹ）だけ移動させるものである。前述のように走査ユニット１４１の位置調整がなされているので、基準中心Ｋ０と走査中心（走査領域Ｒの中心位置）とが一致している。よって、このような変位補正により、画像中心Ｋと走査中心とが一致され、それにより、眼底像Ｅｆ´と各断層像とのＸ方向及びＹ方向における相対位置が補正される。
【０１４０】
なお、眼底像Ｅｆ´を平行移動させる代わりに、各断層像の位置を（ΔＸ、ΔＹ）だけ移動させるようにしても同様の効果が得られる。また、変位Δを打ち消すように眼底像Ｅｆ´と各断層像の双方を平行移動させるようにしても同様である。
【０１４１】
続いて、図７を参照しつつ回転補正部２３２について説明する。回転補正部２３２は、撮像装置１２（又は撮像装置１０）による撮影画像に基づいて、一対の透光部１２７ｃ、１２７ｄに対応する一対のマークを結ぶ直線（線分）を求める。なお、変位補正部２３１によって既に直線が求められている場合には、これをそのまま利用してもよい。逆に、回転補正部２３２が先に直線を求めた場合、変位補正部２３１は、これをそのまま利用してもよい。
【０１４２】
基準撮影画像Ｔについては、前述のように、マークＦ１、Ｆ２を結んだ基準線Ｈ０を求める。また、図６に示すように眼底Ｅｆを撮影して得られた眼底像Ｅｆ´については、基準撮影画像Ｔと同様の処理を実行することにより、眼底像Ｅｆ´に写し込まれた一対のマークＭ１、Ｍ２を結んだ直線（中心線）Ｈを求める。なお、中心線Ｈの位置は、この発明の「現在位置情報」の一例である。
【０１４３】
次に、回転補正部２３２は、基準線Ｈ０と中心線Ｈとが成す角度（交差角度）Δθを求める。交差角度Δθは、ＸＹ座標系で双方の直線を表現することにより容易に演算できる。
【０１４４】
更に、回転補正部２３２は、交差角度Δθを打ち消すように、眼底像Ｅｆ´を回転移動させる。この処理は、たとえば、眼底像Ｅｆ´を−Δθだけ回転させるものである。このときの回転中心は、たとえば画像中心Ｋである。前述のように走査ユニット１４１の位置調整がなされているので、基準線Ｈ０と走査のｘ方向とが平行になっている。よって、このような回転補正により、眼底像Ｅｆ´の中心線Ｈと、ｘ方向に沿った断層像の向きとが一致され、それにより、眼底像Ｅｆ´と各断層像との回転方向における相対位置が補正される。
【０１４５】
なお、ｘ方向以外の方向に沿った断層像についても同様に回転補正を施すことが可能である。すなわち、任意方向の断層像は、ｘｙ平面内に断面を有しているので、当該断層像の断面方向をｘｙ座標系で表現することができ、更に、回転補正によってｘ方向とＸ方向とが一致され、ｙ方向とＹ方向とが一致されるので、ＸＹ座標系で当該断面方向を表現することができ、それにより、回転補正を施すことができる。たとえば、ｙ方向に沿った断層像については、その断面方向が基準線Ｈ０に直交するように回転補正が施される。
【０１４６】
また、眼底像Ｅｆ´を平行移動させる代わりに、各断層像をΔθだけ回転させるようにしても同様の効果が得られる。また、交差角度Δθを打ち消すように眼底像Ｅｆ´と各断層像の双方を回転させるようにしても同様である。
【０１４７】
また、断層像を形成するための計測が行われたとき、つまり信号光ＬＳが被検眼Ｅに照射されたときの変倍レンズ１２４の位置と、基準撮影画像Ｔが取得されたときの変倍レンズ１２４の位置とに基づいて、断層像と基準撮影画像Ｔとの倍率を合わせることができる。それにより、眼底像Ｅｆ´と断層像との倍率を合わせることが可能となる。
【０１４８】
また、断層像に描写された眼底Ｅｆの特徴部位のサイズと、基準撮影画像Ｔに描写された当該特徴部位のサイズとを同じにするように、断層像と基準撮影画像Ｔとの倍率合わせを行うことも可能である。
【０１４９】
以上の説明において断層像の位置補正について説明したが、複数の断層像に基づく３次元画像や任意断面の断層像についても同様に位置補正を行うことが可能である。
【０１５０】
画像処理部２３０は、たとえば、前述のマイクロプロセッサ、ＲＡＭ、ＲＯＭ、ハードディスクドライブ、回路基板等を含んで構成される。
【０１５１】
（表示部、操作部）
表示部２４０は、ディスプレイを含んで構成される。操作部２５０は、キーボードやマウス等の入力デバイスや操作デバイスを含んで構成される。又、操作部２５０には、眼科観察装置１の筐体や外部に設けられた各種のボタンやキーが含まれていてもよい。
【０１５２】
なお、表示部２４０と操作部２５０は、それぞれ個別のデバイスとして構成される必要はない。たとえばタッチパネル方式のＬＣＤのように、表示部２４０と操作部２５０とが一体化されたデバイスを用いることも可能である。
【０１５３】
〔信号光の走査及びＯＣＴ画像について〕
ここで、信号光ＬＳの走査及びＯＣＴ画像について説明しておく。
【０１５４】
眼科観察装置１による信号光ＬＳの走査態様としては、たとえば、水平スキャン、垂直スキャン、十字スキャン、放射スキャン、円スキャン、同心円スキャン、螺旋（渦巻）スキャンなどがある。これらの走査態様は、眼底の観察部位、解析対象（網膜厚など）、走査に要する時間、走査の精密さなどを考慮して適宜に選択的に使用される。
【０１５５】
水平スキャンは、信号光ＬＳを水平方向（ｘ方向）に走査させるものである。水平スキャンには、垂直方向（ｙ方向）に配列された複数の水平方向に延びる走査線に沿って信号光ＬＳを走査させる態様も含まれる。この態様においては、隣接する走査線の間隔を任意に設定することが可能である。走査線の間隔を十分に狭くすることにより、前述の３次元画像を形成することができる（３次元スキャン）。垂直スキャンについても同様である。
【０１５６】
十字スキャンは、互いに直交する２本の直線状の軌跡（直線軌跡）からなる十字型の軌跡に沿って信号光ＬＳを走査するものである。放射スキャンは、所定の角度を介して配列された複数の直線軌跡からなる放射状の軌跡に沿って信号光ＬＳを走査するものである。なお、十字スキャンは放射スキャンの一例である。
【０１５７】
円スキャンは、円形状の軌跡に沿って信号光ＬＳを走査させるものである。同心円スキャンは、所定の中心位置の周りに同心円状に配列された複数の円形状の軌跡に沿って信号光ＬＳを走査させるものである。円スキャンは同心円スキャンの特殊例と考えられる。螺旋スキャンは、回転半径を次第に小さく（又は大きく）させながら螺旋状（渦巻状）の軌跡に沿って信号光ＬＳを走査するものである。
【０１５８】
走査ユニット１４１は、前述のような構成により、信号光ＬＳをｘ方向及びｙ方向にそれぞれ独立に走査できるので、ｘｙ面上の任意の軌跡に沿って信号光ＬＳを走査することが可能である。それにより、上記のような各種の走査態様を実現できる。
【０１５９】
上記のような態様で信号光ＬＳを走査することにより、走査線（走査軌跡）に沿った深度方向（ｘ方向）の断層像を形成することができる。また、特に走査線の間隔が狭い場合には、前述の３次元画像を形成することができる。
【０１６０】
［作用・効果］
以上のような眼科観察装置１の作用及び効果について説明する。
【０１６１】
眼科観察装置１は、眼底Ｅｆの撮影画像（眼底像Ｅｆ´）を形成する機能と、眼底Ｅｆの断層像を形成する機能とを有する。
【０１６２】
また、撮影光学系１２０は、撮像装置１２の位置を表すマークとして撮影画像中に写し込まれる透光部１２７ｃ、１２７ｄを備えている。透光部１２７ｃ、１２７ｄは、撮像装置１２（撮像素子１２ａ）に対して略共役な位置に設けられている。
【０１６３】
また、記憶部２１２は、基準撮影画像Ｔ中に写し込まれたマークＦ１、Ｆ２の位置に基づく基準位置情報２１３を記憶している。基準位置情報２１３には、基準中心Ｋ０及び基準線Ｈ０の位置情報が含まれている。
【０１６４】
眼底Ｅｆの眼底像Ｅｆ´及び断層像が形成されると、画像処理部２３０は、眼底像Ｅｆ´中に写し込まれたマークＭ１、Ｍ２の位置と基準位置情報２１３とに基づいて、眼底像Ｅｆ´と断層像との相対位置を補正する。このとき、マークＭ１、Ｍ２に基づく画像中心Ｋと基準中心Ｋ０に基づいて眼底像Ｅｆ´や断層像を平行移動させる。また、マークＭ１、Ｍ２に基づく中心線Ｈと基準線Ｈ０に基づいて眼底像Ｅｆ´や断層像を回転移動させる。
【０１６５】
このような眼科観察装置１によれば、撮像装置１２の装着位置のズレに基づいて眼底像Ｅｆ´と断層像との相対位置を補正できるので、眼底像Ｅｆ´と断層像との位置関係を高い確度で把握することが可能である。
【０１６６】
また、従来は３次元画像を形成するのに十分な枚数の断層像を取得しなければ眼底像Ｅｆ´と断層像との位置補正を行えなかったが、眼科観察装置１によれば、少数（１枚でもよい）の断層像を取得した場合でも眼底像Ｅｆ´と断層像との位置関係を補正することができる。
【０１６７】
また、従来の位置補正では、３次元画像を形成したり、積算画像を生成したり、積算画像と眼底像との画像相関を求めたり、といった処理が必要であったが、眼科観察装置１によれば、簡便な処理によって位置補正を行えるので、処理時間の短縮や演算に掛かるリソースの節約を図ることができる。
【０１６８】
［変形例］
以上に説明した構成は、この発明を好適に実施するための一例に過ぎない。よって、この発明の要旨の範囲内における任意の変形を適宜に施すことが可能である。
【０１６９】
〔変形例１〕
上記の実施形態では、撮影マスクに一対の透光部を設けることにより撮影画像にマークを写し込んでいるが、マーキング手段はこれに限定されるものではない。たとえば、単一の透光部を用いて同様の位置補正を行うことが可能である。
【０１７０】
一例として、線状や長方形状の透光部を設け、その中心位置と傾き（後者では長辺の傾き等）を利用することにより、上記実施形態と同様の位置補正を実現できる。
【０１７１】
〔変形例２〕
複数組のマークを撮影画像に写し込むようなマーキング手段を適用することが可能である。ここで、「組」は、位置補正を実行可能なマークの単位である。たとえば、上記実施形態のように一対のマークを用いる場合には、一対が一組となる。また、上記のように単一のマークを用いる場合には、１つが一組となる。
【０１７２】
この変形例は、位置補正が可能なマークを複数組写り込ませることを可能にすることで、撮影画像中において検出できないマークがある場合でも位置補正を行えるようにするものである。なお、マークの検出ができなくなるケースとしては、フレアが発生した場合や、被検眼の混濁ないし小瞳孔等によって眼底反射光の一部が欠けてしまう場合などがある。
【０１７３】
この変形例は、たとえば次のようにして実現可能である。上記の実施形態のような透光部を複数対設ける。たとえば、図２に示すように横方向の対向位置に配設された一対の透光部とともに、縦方向の対向位置に配設された一対の透光部を設ける。それにより、たとえば横方向の一対の透光部の一方又は双方が検出できなかったとしても、縦方向の一対の透光部に基づいて位置補正を行うことができる。
【０１７４】
この変形例では、基準撮影画像中に写し込まれた複数組のそれぞれのマークの位置に基づいて基準位置情報を生成して記憶しておく。そして、被検眼の眼底像に写し込まれた一組のマークの位置と基準位置情報とに基づいて、眼底像と断層像の相対位置を補正する。
【０１７５】
〔変形例３〕
マーキング手段は、撮影マスクに設けられた透光部には限定されない。たとえば、マーキング手段として、眼底反射光の周辺部分又は眼底反射光の外部位置に発光部材を設けることができる。発光部材としては、たとえばＬＥＤ等の発光素子を用いることができる。また、たとえば上記の実施形態の透光部１２７ｃ、１２７ｄと同様の三角形状で面発光が可能な発光素子を用いることも可能である。
【０１７６】
画像処理部２３０は、発光部材から出力された光の像として基準撮影画像中に写し込まれたマークの位置に基づいて基準位置情報を生成する。更に、発光部材からの光のとして被検眼の眼底像中に写し込まれたマークの位置に基づいて、撮像装置１２の現在位置を表す現在位置情報を生成する。そして、この現在位置情報と基準位置情報とを比較して、眼底像と断層像との相対位置を補正する。
【０１７７】
具体例として、上記の実施形態と同様に一対の発光部材を設ける場合を説明する。一対の発光部材は、眼底反射光を導光する光学系の光軸を挟んだ対向位置に設けられる。画像処理部２３０は、撮影画像に基づいて一対の発光部材に対応する一対のマークの中間位置を求める。そして、基準撮影画像に基づく中間位置と、被検眼の眼底像に基づく中間位置との変位に基づいて、眼底像や断層像を平行移動させて、これら画像の相対位置を補正する。
【０１７８】
また、画像処理部２３０は、撮影画像に基づいて一対の発光部材に対応する一対のマークを結んだ直線を求める。そして、基準撮影画像に基づく直線と、被検眼の眼底像に基づく直線とが成す角度に基づいて、眼底像や断層像を回転移動させて、これら画像の相対位置を補正する。
【０１７９】
この変形例によれば、上記の実施形態と同様に、眼底像と断層像との位置関係を高い確度で把握することが可能である。また、少数の断層像を取得した場合でも眼底像と断層像との位置関係を補正することができる。また、処理時間の短縮や演算に掛かるリソースの節約を図ることができる。
【０１８０】
また、この変形例によれば、撮影マスクを用いる代わりに、撮影画像のフレーム中の周辺領域（遮蔽領域１２７ｂに対応する画像領域）を黒く塗りつぶす画像処理を施して画像の提示範囲を制限する方法（電子マスクなどと呼ばれる：たとえば特開２００７−１４３６７１号広報を参照）を用いる場合であっても、撮影画像にマークを写り込ませて補正を実行することが可能である。
【０１８１】
〔変形例４〕
上記実施形態と異なる手法で断層像の位置を補正する変形例を説明する。この変形例では、被検眼（眼底）の所定の走査領域内において信号光を走査することにより断層像が形成される。信号光の走査は、走査手段（走査ユニット１４１）が行う。撮影画像形成部と断層像形成部は、たとえば上記の実施形態と同様の構成を有する。
【０１８２】
また、上記の実施形態や変形例と同様にして基準撮影画像を形成し、この基準撮影画像に写し込まれたマークの位置に基づいて基準位置情報を生成する。生成された基準位置情報は、記憶手段（記憶部２１２）に記憶される。マークを写り込ませるマーキング手段は、たとえば、上記の実施形態や変形例と同様に、撮影マスクの透光部であってもよいし、発光部材であってもよい。また、撮影画像にマークを写り込ませることが可能であれば、これら以外の形態のマーキング手段を設けてもよい。
【０１８３】
断層像が形成されると、眼科観察装置の補正手段（画像処理部２３０）は、信号光の走査態様と基準位置情報とに基づいて、この断層像の位置を補正する。以下、図８及び図９を参照しつつ、断層像の位置補正処理の例を説明する。
【０１８４】
まず、断層像を平行移動させる補正処理について説明する。上記実施形態と同様に、基準撮影画像Ｔには一対のマークＦ１，Ｆ２が写り込んでいる。画像処理部２３０は、マークＦ１とマークＦ２との中間位置（基準中心）Ｋ０を求めて基準位置情報を生成する。走査領域Ｒ内の各走査線Ｒｉに沿った断層像が形成されると、画像処理部２３０は、走査領域Ｒの中心位置（走査中心）Ｃを求める。ここで、信号光の走査の制御内容（つまり制御部２１０による走査ユニット１４１の制御内容）に基づいて走査領域Ｒを求めて走査中心Ｃを求めてもよいし、眼底Ｅｆの観察画像（観察光源１０１からの照明光を用いて撮影される画像）に写り込まれた走査軌跡に基づいて走査領域Ｒを求めて走査中心Ｃを求めてもよい。更に、画像処理部２３０は、走査中心Ｃと基準中心Ｋ０との変位に基づいて断層像を平行移動させる。すなわち、画像処理部２３０は、走査中心Ｃを基準中心Ｋ０に一致させるように断層像を平行移動させる。
【０１８５】
次に、断層像を回転移動させる補正処理について説明する。画像処理部２３０は、基準撮影画像Ｔ中のマークＦ１、Ｆ２を結んだ直線（基準線）Ｈ０を求めて基準位置情報を生成する。走査領域Ｒ内の各走査線Ｒｉに沿った断層像が形成されると、画像処理部２３０は、走査線Ｒｉの方向と基準線Ｈ０とが成す角度（交差角度）を求め、この交差角度に基づいて断層像を回転移動させる。このとき、走査領域Ｒ内の複数の走査線Ｒｉが平行である場合には、１つの走査線について交差角度を求めれば十分である。なお、信号光の走査の制御内容に基づいて走査線Ｒｉの方向を求めてもよいし、眼底Ｅｆの観察画像に写り込まれた走査軌跡に基づいて走査線Ｒｉの方向を求めてもよい。
【０１８６】
図８に示すような走査領域Ｒに対して上記のような平行移動と回転移動を施すことにより、走査中心Ｃが基準中心Ｋ０に一致し、かつ、走査線Ｒｉが基準線Ｈ０に平行になるように、断層像の位置が補正される（図９を参照）。このような位置補正を行うことにより、断層像の位置ズレを補正することができる。また、断層像の位置ズレに起因する眼底像と断層像との相対位置のズレを補正できるので、眼底像と断層像との位置関係を高い確度で把握することが可能となる。
【０１８７】
また、この眼科観察装置によれば、少数（１枚でもよい）の断層像を取得した場合でも眼底像と断層像との位置関係を補正することができる。また、断層像のみを取得する場合であっても、断層像の位置補正を行えるというメリットもある。
【０１８８】
また、この眼科観察装置によれば、従来のような画像処理を行う場合と比較して簡便な処理によって位置補正を行えるので、処理時間の短縮や演算に掛かるリソースの節約を図ることができる。
【０１８９】
上記においては３次元スキャンについて特に詳しく説明したが、他の走査態様についても同様の手法が適用可能である。たとえば、水平スキャン、垂直スキャン、十字スキャン及び放射スキャンは、直線的な走査線を組み合わせたものであるから、交差角度を用いる手法が適用可能である。
【０１９０】
また、一本の走査線の中点位置を走査中心とみなしたり、複数本の走査線のそれぞれの端部を境界とする領域を走査領域とみなして走査中心を求めたりすることにより、走査中心を用いる手法を適用することが可能である。たとえば、水平スキャンを形成する一本の走査線の両端の中点位置を特定して走査中心とみなし、この走査中心と基準中心との変位に基づいて補正を行うことが可能である。また、十字スキャンを形成する二本の走査線（互いに直交している）のそれぞれの両端位置を特定し、これら四つの両端位置を結んで形成される四角形を走査領域とし、この走査領域の中心位置を走査中心とみなし、この走査中心と基準中心との変位に基づいて補正を行うことが可能である。
【０１９１】
円スキャンや同心円スキャンについては、円形状の走査線に沿って信号光が走査されるので、この走査線により囲まれる領域を走査領域とみなし、その中心位置を走査中心として補正を行うことができる。また、円形の走査線上の特定位置（走査開始位置、捜査終了位置など）における接線方向を求め、この接線方向と基準線との交差角度に基づいて補正を行うことが可能である。また、当該特定位置と上記走査中心とを結ぶ直線を求め、この直線と基準線との交差角度に基づいて補正を行うことが可能である。
【０１９２】
螺旋スキャンについては、たとえば、螺旋状の軌跡に基づいて中心位置（走査中心）を演算し、この走査中心と基準中心との変位に基づいて補正を行うことができる。また、螺旋状の軌跡における走査開始位置と走査終了位置とを結ぶ直線を求め、この直線と基準線との交差角度に基づいて補正を行うことも可能である。
【０１９３】
上記以外の走査態様についても同様の補正を行うことが可能である。たとえば、或る走査態様に基づいて走査中心や走査線の方向を定義可能であれば、この走査態様について上記と同様の手法で補正を施すことができる。
【０１９４】
また、走査中心や走査線の方向以外にも、信号光の走査態様に基づく特徴的な対象（位置、方向、面積、長さ等の物理量として表現される対象）を定義可能である場合には、当該対象を参照して補正を行うことが可能である。なお、適用される特徴的な対象に応じた基準位置情報をマークに基づいてあらかじめ取得しておく。一例として、走査線が閉曲線の場合には、この走査線により囲まれる領域の重心位置を走査中心とみなして補正を行うことができる。
【０１９５】
また、複数の走査態様のそれぞれの基準位置情報をあらかじめ記憶しておく場合、各基準位置情報に対して走査態様の識別情報を関連付けておく。そして、実際の検査において一の走査態様が指定されたときに、この指定された走査態様の識別情報に基づいて基準位置情報を選択的に使用することが可能である。
【０１９６】
〔変形例５〕
上記の実施形態や変形例において、写し込まれたマークを消去して撮影画像を表示させることが可能である。マークを消去する方法としては、たとえば、前述の電子マスクと同様に、撮影画像に写し込まれたマークを黒く塗りつぶす方法がある。
【０１９７】
マークは前述のような補正処理に用いられるものであり、観察の対象ではないので、表示時には消去してもよい。なお、表示時には消去されていても、マークの位置を表す情報まで消去する必要はない。
【０１９８】
この変形例において、マークを塗りつぶす処理は画像処理部２３０により実行される。このとき画像処理部２３０は、この発明の「画像処理手段」として機能する。また、撮影画像は、制御部２１０の制御の下に表示部２４０に表示される。このとき表示部２４０は、この発明の「表示手段」として機能する。
【０１９９】
〔その他の変形例〕
上記の実施形態においては、参照ミラー１７４の位置を変更して信号光ＬＳの光路と参照光ＬＲの光路との光路長差を変更しているが、光路長差を変更する手法はこれに限定されるものではない。たとえば、被検眼Ｅに対して眼底カメラユニット１ＡやＯＣＴユニット１５０を移動させて信号光ＬＳの光路長を変更することにより光路長差を変更することができる。また、特に被測定物体が生体部位でない場合などには、被測定物体を深度方向（ｚ方向）に移動させることにより光路長差を変更することも有効である。
【０２００】
上記の実施形態に係る補正処理を実行するためのコンピュータプログラムを、コンピュータのドライブ装置によって読み取り可能な任意の記録媒体に記憶させることができる。この記録媒体としては、たとえば、光ディスク、光磁気ディスク（ＣＤ−ＲＯＭ／ＤＶＤ−ＲＡＭ／ＤＶＤ−ＲＯＭ／ＭＯ等）、磁気記憶媒体（ハードディスク／フロッピー（登録商標）ディスク／ＺＩＰ等）などを用いることが可能である。また、ハードディスクドライブやメモリ等の記憶装置に記憶させることも可能である。更に、インターネットやＬＡＮ等のネットワークを通じてこのプログラムを送受信することも可能である。
【符号の説明】
【０２０１】
１  眼科観察装置
１Ａ  眼底カメラユニット
１２７  撮影マスク
１２７ａ  透過領域
１２７ｂ  遮蔽領域
１２７ｃ、１２７ｄ  透光部
１４１  走査ユニット
１５０  ＯＣＴユニット
１６０  低コヒーレンス光源
１７４  参照ミラー
１８０  スペクトロメータ
１８４  ＣＣＤ
２００  演算制御装置
２１０  制御部
２１３  基準位置情報
２２０  画像形成部
２３０  画像処理部
２３１  変位補正部
２３２  回転補正部
２４０  表示部
２５０  操作部
Ｔ  基準撮影画像
Ｋ０  基準中心
Ｈ０  基準線
Ｅｆ´  眼底像
Ｋ  画像中心
Ｈ  中心線
Ｒ  走査領域
Ｒｉ  走査線
Ｃ  走査中心
Ｆ１、Ｆ２、Ｍ１、Ｍ２  マーク
【図１】
2010240068.tif 000003
【図２】
2010240068.tif 000004
【図３】
2010240068.tif 000005
【図４】
2010240068.tif 000006
【図５】
2010240068.tif 000007
【図６】
2010240068.tif 000008
【図７】
2010240068.tif 000009
【図８】
2010240068.tif 000010
【図９】
2010240068.tif 000011